(57)【要約】      （修正有）【課題】日常用の小さいペット砂箱を飼い主の小旅行や長時間留守の非日常用砂箱に変形構成し、ペット排泄に十分対応できるペット用拡大砂箱に関する。【解決手段】１／４円型砂箱、同サイズ三個を立体構成にした日常用ペット砂箱に、残り一個の１／４円型砂箱追加後、平面大円型砂箱となり、ペットの排泄を助ける非日常用ペットの拡大砂箱とする。これにより、大きく広い拡大砂箱を構成し、多量の排泄物にも十分対応可能となる。【選択図】図１
2006174820.tif 000002
【特許請求の範囲】
【請求項１】
１／４円型砂箱同三個を立体構成した、日常用ペット砂箱に、残り一個の１／４円型砂箱追加後、平面大円型砂箱となる非日常用のペット用拡大砂箱。
【発明の詳細な説明】
【技術分野】
【０００１】  本発明は、日常用の小さいペット砂箱を、非日常用砂箱に変形構成後、対応可能となるペット用拡大砂箱に関する。
【背景技術】
【０００２】  従来の猫の砂箱は、すでに商品化の四角い砂箱や、フードつき砂箱、チップ砂と厚紙敷き砂箱、砂に消臭薬品をふりかけ、下段の敷紙にペットの尿を受ける砂箱がある。
また、通信販売の猫トイレ（非特許文献１）や、外国製猫トイレ（非特許文献２）がある。【０００３】
【非特許文献１】日本通販  Ｉ  ＬＯＶＥ  ＳＨＯＰ  カタログ  Ｖｏｌ．８    Ｐ７７  キャットワレ  商品番号ｗＬ−２０５５  ｗｗｗ．６６６−６６６．ｃｏ．ｊｐ
【非特許文献２】Ｃｌｉｎｉｃ  Ｃｌｕｂ  クリニッククラブ  カタログ  ｖｏｌ．３  Ｐ３５  イタリア製猫トイレ  ＭＡＧＩＸ  ｈｔｔｐ：／／ｗｗｗ．ｉｎｔｅｒｚｏｏ−ｐｅｔ．ｃｏｍ
【発明の開示】
【発明が解決しようとする課題】
【０００４】  以上に述べた従来のペットの砂箱は、飼い主の小旅行や、長時間留守の非日常の時、ペットの多量排泄物で砂箱内の砂は全体に固まった状態になる為、常に１〜２箱、余備砂箱の準備が必要である。【０００５】  日常砂箱より大きく、非日常のときに十分対応可能で、その後のペット排泄物除去処理の軽減、省力化を目的とする、非日常用砂箱のペット用拡大砂箱に関する。
【課題を解決するための手段】
【０００６】  本発明は、１／４円型砂箱同三個をとめ具で立体構成した、小さいペットの日常用１／４円型砂箱が、非日常のときは、とめ具解除後平面形状に広く開き、残り一個の１／４円型砂箱を追加構成、一個の大きい平面円形の砂箱となる、日常用砂箱から変形構成の非日常用ペット拡大砂箱である。
【発明の効果】
【０００７】  従来の砂箱や、通信販売の小さな猫トイレでは補えない用途を考慮し、立体構成の小さなペットの日常用砂箱を、非日常の時には、大きく広い拡大砂箱とする事で猫にも利用しやすく、多量の排泄物にも十分対応可能である。
余備砂箱の準備が不必要である。【０００８】  立体構成となる日常用ペット砂箱の左右側面の壁となる砂箱で、ペット排泄時の砂飛び散りが防止される。
また、その後のペットの排泄物除去処理、残砂処理の作業も平面形状の拡大砂箱から、立体構成の小さいペットの日常砂箱へ戻す事により、自然に残砂に集まり、手間も省け、そのままペット使用可能の砂箱になる。
【発明を実施するための最良の形態】
【０００９】  以下、本発明の実施の形態を図１〜図４により説明する。【００１０】  本発明は図１で示す日常用１／４円型砂箱、同サイズ三個のうち、二個を左右側面に壁とした立体構成の小さい１／４円型砂箱１が、非日常用砂箱では組み立てをほどき、平面の３／４円型砂箱となり、図３で示す、残り一個の１／４円型砂箱１９を追加構成後、一個の大きい平面形状、円型拡大砂箱となる。【００１１】  ペットの日常用立体構成の１／４円型砂箱１の構造形態を説明する。図１で示す、３番の砂箱５と、４番の砂箱７を２番のペット砂箱１の左右側面に配し、それぞれ隣り合う境に取り付けた、ステンレス蝶番金具９により壁構成として、２番のペット砂箱１下方の左右とめ具４で固定、安定した、日常用、立体構成のペット砂箱図１である。【００１２】  図２で示す、砂箱裏面中心部の補強板装置１０によるペット砂箱の補強構造は、補強板１〜４のうち、切れ込み部分１２を除外した、隣り合う補強板の境に蝶番２３を設け、折り曲げる事のできる接続構成とする。【００１３】  砂箱裏面の補強板装置１０の２の補強板１３と、３の補強板１４は、始めより２番、３番の砂箱１、５に補強板とめ具１３で固定装着されている。
また、補強板の切れ込み部分１２には他の補強板よりひと回り大きな４の補強板１５を差し込み、３の補強板１４裏側に重ね合わせ、おさえフックとめ具１６で固定設置した、図１で示す、立体構成の日常用ペット砂箱である。【００１４】  図３で示す、非日常用ペット拡大砂箱の構造形態を説明する。
図１で示す、立体構成の小さい１／４円型砂箱１の左右、下方のとめ具４を解除し、図２で示す、砂箱裏面の補強板装置１０のおさえフックとめ具１６を解除すると、図３で示すように、立体構成の壁部分であった、３番の砂箱５と、４番の砂箱７が平面形状に開き、広い３／４円型砂箱となる。【００１５】  平面形状の３／４円型砂箱に、１番の１／４円型砂箱１９を追加構成し、１の補強板１７に補強板とめ具１８で固定。１番の砂箱１９左右両側にワク止め２２をし、より安定固定される大きく広い一個の非日常用円型拡大砂箱となる。【００１６】  図３で示す円型拡大砂箱の土台は、図４で示すように、砂箱裏面中心部の補強板１０底面と接する、直角三角形を中心に持つ１番〜４番砂箱のそれぞれ独立した底土台２０であり、立体にも平面にも変形構成可能の日常、非日常用のペット砂箱となる。
【実施例】
【００１７】  １番〜４番砂箱土台については、軽量化と共に、立体構造砂箱４ヶ所の独立土台のため、組み立ての邪魔をせず、中心部分の直角三角形４ヶ所と、周り縁台を厚めに頑丈にした組み立て構成しやすく安定した砂箱土台となる。【００１８】  砂箱間接続の役目のステンレス蝶番からの落下砂防止策として、図１で示す日常用立体構成ペット砂箱の底下に、円型拡大砂箱同サイズの両面テープつき円型紙を敷き、１番砂箱と２番砂箱接続部分を一部カットし、１番砂箱敷紙を４番の砂箱へ折り曲げておく。
非日常用拡大砂箱にするときは、１番砂箱敷紙は４番砂箱から下げ開き、箱底に敷く。落下砂問題を解消し、また、敷紙により清潔砂箱を維持する。
【産業上の利用可能性】
【００１９】  高齢化人口の増加と、それに伴う癒しの対象となるペットとの共生で、これからますます需要の増すペット産業である。
集合住宅でもペットが飼える状況になり、安全、利便性、経済性を考慮したペット用品が求められる。【００２０】  特に高齢の飼い主は、重いペットフードや重い砂袋、煩わしいペットの排泄後処理作業等、諸問題も多い。【００２１】  旅行好きな高齢者やシングルは、その都度ペットをペット預かり業者またはペットホテルを利用する必要がある。
家に居つく猫にとっては、他の場所より我が家が一番安心であり、排泄問題と食事が確保できれば安全なのである。
このペット拡大砂箱は、排泄問題を解決し、飼い主のニーズに沿ったペットの砂箱である。
【図面の簡単な説明】
【００２２】
【図１】  本発明のペットの日常用、立体構成の１／４円型砂箱の斜視図
【図２】  同砂箱裏面の補強板装置の平面図
【図３】  本発明のペットの非日常用拡大砂箱  平面図
【図４】  同拡大砂箱裏面の底上台と、補強板装置  平面図
【符号の説明】
【００２３】  １    ２番のペット砂箱
２    ２番のペット砂箱底土台
３    ２番のペット砂箱  縁ワク
４    とめ具
５    ３番の砂箱
６    ３番の砂箱  縁ワク
７    ４番の砂箱
８    ４番の砂箱  縁ワク
９    ステンレス蝶番金具
１０  補強板装置
１１  折り曲げ位置
１２  切れ込み部分
１３  ２の補強板
１４  ３の補強板
１５  ４の補強板
１６  ４の裏設置のおさえフックとめ具
１７  １の補強板
１８  １の補強板設置とめ具
１９  １番の砂箱
２０  中心部底土台
２１  砂箱裏面
２２  ワク止め
２３  補強板用  蝶番金具
２４  砂
【図１】
2006174820.tif 000003
【図２】
2006174820.tif 000004
【図３】
2006174820.tif 000005
【図４】
2006174820.tif 000006